(57)【要約】  多様な要因によって生じる発光装置における発光パルスの波形のばらつきを抑える技術を提供する。  通電直後に緩和振動が発生する光源１０１と、抵抗とコンデンサが並列に接続された微分回路１０２を有し、微分回路に電圧印加のためのスイッチング素子１０３が直列に接続された光源駆動回路１０４と、電源回路１０５と、光源１０１から発光されるパルス光を検出する受光素子１０７と、検出したパルス光の波形に対応させて電源回路１０５の出力電圧を制御する電圧制御部１０９とを備える。
2016175301.tif 000002
【特許請求の範囲】
【請求項１】
通電直後に緩和振動が発生する光源と、
抵抗とコンデンサが並列に接続された微分回路に、電圧印加のためのスイッチング素子が直列に接続された光源駆動回路と、
前記光源と前記光源駆動回路が直列に接続された直列回路に電圧を加える電源と、
前記光源から発光されるパルス光を検出するパルス光検出部と
前記パルス光検出部が検出した前記パルス光の波形に対応させて前記光源に加えられる電圧を制御する電圧制御部と
を備えることを特徴とする発光装置。
【請求項２】
温度検出部を備え、
前記電圧制御部は、前記温度検出部が検出した温度に基づいて前記光源に加えられる電圧の制御を行うことを特徴とする請求項１に記載の発光装置。
【請求項３】
前記電圧制御部は、前記パルス光のピーク強度の値が予め定めた範囲となるように前記光源に加えられる電圧の制御を行うことを特徴とする請求項１または２に記載の発光装置。
【請求項４】
前記電圧制御部は、前記パルス光の波形の形状が特定の条件を満たす波形となるように前記光源に加えられる電圧の制御を行うことを特徴とする請求項１〜３のいずれか一項に記載の発光装置。
【請求項５】
前記電圧制御部は、前記パルス光の波形が単峰になるように前記光源に加えられる電圧の制御を行うことを特徴とする請求項４に記載の発光装置。
【請求項６】
前記電圧制御部は、前記パルス光の波形の対称性に基づいて前記光源に加えられる電圧の制御を行うことを特徴とする請求項４または５に記載の発光装置。
【請求項７】
前記電源の出力電圧が変化した際に前記スイッチング素子に加えるバイアス電圧を同時に変化させることを特徴とする請求項１〜６のいずれか一項に記載の発光装置。
【請求項８】
請求項１〜請求項７のいずれか１つに記載の発光装置から生成され、前記光源の緩和振動の最初の発振による光を測定対象物に向け射出する射出部と、
前記測定対象物から反射した反射光を受光する受光部と、
前記受光部の出力信号に基づいて前記測定対象物までの距離の算出を行う信号処理部と
を備えることを特徴とする距離測定装置。
【発明の詳細な説明】
【技術分野】
【０００１】
本発明は、パルス発光を行う発光装置に関する。
【背景技術】
【０００２】
レーザ光を用いた距離の測定や各種の加工等を行う技術において、パルス幅が数十〜数百ピコ秒以下といった短パルスのものが求められている。例えば、測距技術において、パルス幅が狭いパルス光を用いることで、測距精度を高めることができる。パルス幅の狭いレーザ光を生成する技術として特許文献１〜３等に記載された技術が知られている。
【先行技術文献】
【特許文献】
【０００３】
【特許文献１】特公平７−１０９９１１号公報
【特許文献２】特開昭５５−１０７２８２号公報
【特許文献３】特開２００２−３６８３２９号公報
【発明の概要】
【発明が解決しようとする課題】
【０００４】
図１には、ＬＤ（レーザダイオード）における駆動電流と出力光との関係が示されている。図１に示すように、ＬＤに駆動電流を流すと、最初にパルス状の発光が生じ、この発光の振幅が振動しつつ徐々に小さくなり、最終的に一定強度の発光が生じる現象が見られる。この現象は、半導体レーザ全般に見られる。上記の発光初期に見られる徐々に収まる発光強度の振動は緩和振動と呼ばれている。【０００５】
短いパルス幅の発光を行う場合、図２に示すように極短時間のΔｔの間に駆動電流を流し、最初のパルス光の発光のみを行わせる手法が用いられる。しかしながら、Δｔは、数十〜数百ピコ秒オーダの時間幅であり、時間幅Δｔのパルス状の駆動電流を簡易な回路で生成することは難しい。【０００６】
このような背景において、本出願人は、コンデンサと抵抗を並列に接続した回路を用いて短パルス光を発光する装置について出願している（特願２０１４−１６９４２７号、特願２０１４−１６９４２９号）。この技術では、コンデンサへの突入電流の発生およびその後の抵抗による電圧降下を利用してＬＤ（レーザダイオード）に１パルスに対応するパルス状の電流を一瞬流し、時間幅の短い単パルスの発光を行う。【０００７】
ところで、ＬＤは、特性が温度により変化する。具体的には、同じ発光条件であっても温度により発光パルスの波形や発光ピーク強度が変化する。温度による特性への影響は、抵抗やコンデンサ、トランジスタ等の各種電子デバイスについてもいえる。【０００８】
レーザ光を用いた測距技術では、測定パルス光の発光強度やパルス波形が測距範囲や測距精度に影響を与える。温度による影響を回避する方法として、温度変化の影響が出ないよう温度を一定にする恒温手段を用いてＬＤや光源駆動回路を一定の温度に保つ方法が考えられる。しかしながら、恒温手段は、ヒータやペルチェ素子を用いた複雑な構造であり、高コストで消費電力も大きいという問題がある。【０００９】
他方において、ＬＤ、抵抗、コンデンサ、その他の電子部品の特性のバラツキにより発光パルスの強度や波形の形状が影響を受けるという問題もある。この問題への対応として、高精度部品の採用、部品の選別、発光装置の製造時における調整の徹底、といった対応が考えられるが、高コスト化の問題が生じる。また、製品の完成段階で性能を安定化させても上述した温度の違いに起因する問題には対応できない。【００１０】
また、時間の経過に従って電子部品の特性が変化することでも発光特性に影響が出るが、この影響については、部品の交換や再調整で対応することが一般的である。しかしながら、部品の交換や再調整は面倒であり、またコストがかかる。【００１１】
このような背景において、本発明は、多様な要因によって生じる発光装置における発光パルスの波形のばらつきを抑える技術の提供を目的とする。
【課題を解決するための手段】
【００１２】
請求項１に記載の発明は、通電直後に緩和振動が発生する光源と、抵抗とコンデンサが並列に接続された微分回路に、電圧印加のためのスイッチング素子が直列に接続された光源駆動回路と、前記光源と前記光源駆動回路が直列に接続された直列回路に電圧を加える電源と、前記光源から発光されるパルス光を検出するパルス光検出部と、前記パルス光検出部が検出した前記パルス光の波形に対応させて前記光源に加えられる電圧を制御する電圧制御部とを備えることを特徴とする発光装置である。【００１３】
請求項１に記載の発明では、発光波形を検出し、発光波形が特定の条件を満たす波形となるように光源に加えられる電圧をフィードバック制御する。この構成によれば、温度の影響および部品精度の影響による発光波形の違い（ピーク値の違いや形状の違い）が光源に加えられる電圧の調整により是正される。【００１４】
通電直後に緩和振動が発生するという現象はレーザの一般的な特性として知られており、特にこの現象を容易に実現できる光源として半導体レーザ（ＬＤ）が挙げられる。抵抗は、所定の電気抵抗を示す電子デバイスである。抵抗としては、抵抗デバイスとして入手できる各種の抵抗素子、配線を用いた抵抗体、各種の導体や半導体を用いた抵抗体を挙げることができる。抵抗は、オームの法則に従う電気抵抗特性を示すものが一般的であるが、ダイオード等の非線形素子やバイアスを適切に設定したＦＥＴ等の三端子素子を抵抗として用いることもできる。【００１５】
コンデンサは、所定の電気容量を有し、電荷を蓄積する機能を有した電子デバイスである。コンデンサとして、コンデンサデバイスとして入手できる素子、配線パターン間の容量、間に絶縁体を挟んだ一対の導体により構成される容量、同軸ケーブルや絶縁被覆された２本のケーブル間の容量等を利用することができる。光源と光源駆動回路の直列接続は、直接接続された構造が基本であるが、間に他の電子デバイスを介して直列接続された構成も可能である。【００１６】
請求項１に記載の発明では、電源がＯＮにされると、抵抗に比較してコンデンサのインピーダンスが小さいので、まず微分回路のコンデンサに突入電流が流れ込む。この突入電流は、光源駆動回路と直列に接続された光源に流れる。この際、コンデンサでの電圧降下は無視できる程度に微小であるので、光源に上記の突入電流に起因する電圧が加わる。この際の電圧は、光源が発光する閾値を超える値となるように設定されており、上記のコンデンサへの突入電流により光源が発光する。【００１７】
他方で、コンデンサへの突入電流は一瞬であり、コンデンサに電荷が蓄積された段階で突入電流はなくなる。コンデンサへの突入電流が減少すると、コンデンサと並列に接続された抵抗の両端に電位差が生じるので、コンデンサへの突入電流の代わりに抵抗に電流が流れ始める。抵抗に流れた電流は光源に流れるが、抵抗で電圧降下が生じるので、光源に加わる電圧は、上記のコンデンサへの突入電流に起因する電圧よりも小さくなる。ここで、抵抗での電圧降下によって低下した光源への電圧が、発光閾値を下回るように各種のパラメータが設定されている。このため、抵抗に電流が流れ始めることで、光源の発光が停止する。【００１８】
ここで、各種のパラメータ（電源電圧、微分回路の抵抗値および容量値、光源の諸特性）は、上述したコンデンサへの突入電流の発生に従って１発目のパルス発光が行なわれ、当該突入電流の停止と抵抗に流れる電流の発生に従って２発目以降のパルス発光（緩和振動に伴う発光）が停止するように設定されている。なお、各種のパラメータは、予備実験を行い決定されている。【００１９】
請求項２に記載の発明は、請求項１に記載の発明において、温度検出部を備え、前記電圧制御部は、前記温度検出部が検出した温度に基づいて前記光源に加えられる電圧の制御を行うことを特徴とする。本発明者の研究によれば、特定の光源に関していえば、特定の発光パルス波形を得るために必要な温度と光源への印加電圧の関係は大凡特定できることが判明している。この関係を利用して、請求項２に記載の発明では、特定のパルス波形を得るために必要な温度と印加電圧の関係を予め取得し、温度検出部が検出した温度の情報に基づいて、光源への印加電圧を決定する。なお、光源自体の特性のばらつき、抵抗やコンデンサ等の他の部品の精度や温度による特性の変化があるので、請求項２の発明による補正は完全ではなく、あくまである程度の精度が追求できる程度に止まる。【００２０】
請求項３に記載の発明は、請求項１または２に記載の発明において、前記電圧制御部は、前記パルス光のピーク強度の値が予め定めた範囲となるように前記光源に加えられる電圧の制御を行うことを特徴とする。請求項３に記載の発明によれば、光源から出力されるパルス光のピーク強度を検出し、ピーク強度が予め決められた範囲になるように光源に加えられる電圧を調整する。なお、特定の範囲とする制御には、特定の値とする制御が含まれる。【００２１】
請求項４に記載の発明は、請求項１〜３のいずれか一項に記載の発明において、前記電圧制御部は、前記パルス光の波形の形状が特定の条件を満たす波形となるように前記光源に加えられる電圧の制御を行うことを特徴とする。請求項４に記載の発明によれば、光源から出力されたパルス光の波形の形状を評価し、このパルス光の波形の形状が特定の条件を満たすように、光源への印加電圧の値を変更する。こうすることで、温度や部品精度のパルス波形の形状への影響を低減できる。【００２２】
請求項５に記載の発明は、請求項４に記載の発明において、前記電圧制御部は、前記パルス光の波形が単峰になるように前記光源に加えられる電圧の制御を行うことを特徴とする。測距に用いるパルス光は、単峰形状が望ましい。しかしながら、温度変化や部品の精度の影響を受け、理想的な条件から発光の条件がずれると、緩和振動の影響が現れ、パルス光が単峰形状からずれピークが複数現れる場合がある。そこで、請求項５に記載の発明では、単峰性が得られるように光源への印加電圧を制御することで、単峰なパルス光が得られるようにする。【００２３】
請求項６に記載の発明は、請求項４または５に記載の発明において、前記電圧制御部は、前記パルス光の波形の対称性に基づいて前記光源に加えられる電圧の制御を行うことを特徴とする。測距に用いるパルス光は、左右の対称性のよい波形であることが望ましい。しかしながら、温度変化や部品の精度の影響を受け、理想的な条件から発光の条件がずれると、パルス光の波形の対称性が崩れてくる。そこで、請求項６に記載の発明では、パルス光の対称性を特定の条件により評価し、その結果に基づき光源への印加電圧の値を制御することで、パルス光の対称性の崩れを抑える。
【００２４】
請求項７に記載の発明には、請求項１〜６のいずれか一項に記載の発明において、前記電源の出力電圧が変化した際に前記スイッチング素子に加えるバイアス電圧を同時に変化させることを特徴とする。一般的な技術として、電源のＯＮ／ＯＦＦをバイポーラトランジスタやＦＥＴ等の三端子のスイッチング素子で行う場合、スイッチング素子のコントロール電極（ベース電極やゲート電極）にバイアス電圧を加え、ＯＮ／ＯＦＦの閾値を設定する。【００２５】
他方で本発明では、光源と微分回路を直列に接続した直列回路に電源から電圧を加え、この電圧を状況によって変更することで、安定したパルス光の発光を行う。電源のＯＮ／ＯＦＦ用のスイッチング素子は、上記の直列回路（光源と微分回路を直列に接続した直列回路）と電源回路との間に直列に接続され、直列回路と電源回路との接続のＯＮ／ＯＦＦを行う。したがって、電源電圧の出力電圧を変化させると、スイッチング素子に加わる電圧（例えば、ＦＥＴであればソース・ドレイン間の電圧）も変化する。【００２６】
仮にバイアス電圧が固定電圧であると、トランジスタに加わる電圧の変更に従って閾値電圧の対アース電位が変化し、常にＯＮ状態、あるいは常にＯＦＦ状態、さらには、ＯＮすべきタイミングでＯＮあるいはＯＦＦとならない状態となる可能性がある。請求項７に記載の発明によれば、電源電圧の変更に従ってスイッチング素子のバイアス電圧を同時に変更するので電源電圧が変化しても所望のタイミングでＯＮ／ＯＦＦの制御を行うことができる。【００２７】
請求項８に記載の発明は、請求項１〜請求項７のいずれか１つに記載の発光装置から生成され、前記光源の緩和振動の最初の発振による光を測定対象物に向け射出する射出部と、前記測定対象物から反射した反射光を受光する受光部と、前記受光部の出力信号に基づいて前記測定対象物までの距離の算出を行う信号処理部とを備えることを特徴とする距離測定装置である。
【発明の効果】
【００２８】
本発明によれば、多様な要因によって生じる発光装置における発光パルスの波形のばらつきを抑えることができる。
【図面の簡単な説明】
【００２９】
【図１】レーザダイオード（ＬＤ）における駆動電流と発光強度との関係を示す図である。
【図２】レーザダイオード（ＬＤ）における駆動電流と発光強度との関係を示す図である。
【図３】実施形態の発光装置のブロック図（Ａ）と回路図（Ｂ）である。
【図４】実施形態のブロック図である。
【図５】動作時における実施形態の各部の電圧を説明する説明図である。
【図６】温度の違いによるＬＤの発光波形を示す特性図である。
【図７】発光強度のピーク値を一定に保った発光を行う場合の温度と印加電圧の関係を示すグラフ（Ａ）と温度による発光波形を示す波形図（Ｂ）である。
【図８】実施形態における電源回路のブロック図（Ａ）および（Ｂ）である。
【図９】スイッチを構成するＦＥＴのバイアスを決める構成を示すブロック図である。
【図１０】バイアス電圧について説明する説明図である。
【図１１】バイアス電圧について説明する説明図（Ａ）および（Ｂ）である。
【図１２】処理の手順の一例を示すフローチャートである。
【図１３】実施形態の他の構成を示すブロック図（Ａ）および（Ｂ）である。
【図１４】発明を利用した測距装置のブロック図である。
【図１５】発光パルス波形のピークを下げた場合の波形の変化を示す波形図である。
【発明を実施するための形態】
【００３０】
１．第１の実施形態
（構成）
図３には、実施形態の発光装置のブロック図（Ａ）と（Ａ）における一部の回路を記載したブロック図（Ｂ）が示されている。図４には、光学系も含めた発光装置の構成が記載されている。図３および図４には、発光装置１００が示されている。発光装置１００は、光源１０１、微分回路１０２、スイッチ１０３が直列に接続された構成を有している。微分回路１０２とスイッチ１０３とが直列に接続されることで光源駆動回路１０４が構成されている。光源１０１と光源駆動回路１０４が直列接続された回路の両端に電源回路１０５から電源電圧Ｖが加えられている。図３には、プラス電圧を加える例が示されているが、光源側をアース電位とし、スイッチ側をマイナス電位として、マイナス電位を加える構成も可能である。
【００３１】
光源１０１は、レーザダイオード（ＬＤ）である。微分回路１０２は、抵抗Ｒ（１０２ａ）とコンデンサＣ（１０２ｂ）を並列に接続した回路であり、スイッチ１０３をＯＮとして電圧を加えた際にパルス状の電流（微分電流）が流れる特性を有する回路として機能する。スイッチ１０３は、ＦＥＴであり、スイッチ駆動回路１０６からの駆動信号を受けて、ＯＮ／ＯＦＦの動作を行う。スイッチ１０３がＯＮとなると、光源１０１と微分回路１０２とを直列に接続した直列回路に電源回路からの電圧Ｖが加わる。そして、スイッチ１０３がＯＦＦになると、光源１０１と微分回路１０２とを直列に接続した直列回路に電圧Ｖが加わらない状態となる。ここでは、スイッチ１０３としてＦＥＴを用いているが、バイポーラトランジスタや各種のスイッチ用のＩＣを用いることもできる。電源回路１０５は出力電圧を可変できる電源である。
【００３２】
発光装置１００は、受光素子１０７、Ａ／Ｄコンバータ１０８、演算部１０９、温度センサ１１０を備えている。受光素子１０７は、光源１０１から発光された光の一部を受光し、電気信号に変換する。受光素子１０７としては、ＡＰＤ（アバランシェ・フォトダイオード）等の光電変換素子が用いられる。Ａ／Ｄコンバータ１０８は、受光素子１０７の出力をデジタル信号に変換する。このデジタル信号は、受光素子１０７が検出した光源１０１からのパルス光の波形に関する情報を含んだ波形データとなる。Ａ／Ｄコンバータ１０８の出力されるデジタル信号は、演算部１０９に送られる
【００３３】
演算部１０９は、コンピュータとして機能するハードウェアであり、ＣＰＵ、ＲＡＭ、ＲＯＭ、その他演算回路や記憶回路、各種のインターフェース回路、もしくはこれらを構成できるＦＰＧＡを備えている。演算部１０９は、以下の処理を行う。
（１）発光タイミングの決定。
（２）Ａ／Ｄコンバータ１０８の出力に基づく光源１０１から出力（発光）される発光パルス光の波形の検出。
（３）検出した発光パルス光の波形に基づく電源回路１０５の出力電圧の決定。
（４）温度センサ１１０が検出した温度に基づく電源回路１０５の出力電圧の決定。
（５）電源回路１０５の制御。
【００３４】
温度センサ１１０は、発光装置１００内の温度を検出し、検出した温度のデータを演算部１０９に送る。最も温度の影響を受けるデバイスである光源１０１（レーザダイオード：ＬＤ）の温度を精度よく検出できるように温度センサ１１０を配置する。
【００３５】
図４に示すように、発光素子１０１から発光されたパルス光は、半透過ミラー１１１で一部が反射ミラー１１２の方向に反射され、その光は、受光素子１０７に入射する。半透過ミラー１１１は、例えば、入射光の光量の数％を反射し、残りを透過する。反射ミラー１１２は通常の反射鏡である。図４の仕組みにより、発光装置１００は、自身で発光した光の一部を受光素子１０７で検出し、内部に取り込む。
【００３６】
スイッチ駆動回路１０６は、演算部１０９からの発光信号を受けて、スイッチ１０３のＯＮ／ＯＦＦを決めるスイッチ駆動電圧（例えば、図１０のスイッチ駆動電圧）を出力する。微分回路１０２の回路定数としては、一例であるが、電源電圧５Ｖ、抵抗１０２ａの抵抗値として２００オーム、コンデンサ１０２ｂの容量として２２ｐＦ、ＯＮ／ＯＦＦのタイミングを決める発光信号として周波数が数十ＭＨｚ程度を上限とした矩形波を用いる例が挙げられる。
【００３７】
（微分回路の動作）
スイッチ１０３がＯＦＦ（ソース・ドレイン間が非導通）の状態において、光源１０１と微分回路１０２には、電圧Ｖは加わらず、光源１０１は発光しない。スイッチ１０３をＯＮにすると、電圧Ｖが加わってコンデンサ１０２ｂに電荷が流れ込み、突入電流が生じ、光源１０１に駆動電流が流れる。この駆動電流により、光源１０１が発光する。
【００３８】
そして、コンデンサ１０２ｂに電荷が溜まってゆくと、突入電流が急激に減少する。コンデンサ１０２ｂへの突入電流の減少に対応して、抵抗１０２ｂに流れる電流が増加する。コンデンサ１０２ｂへの電荷の充電が終了すると、コンデンサ１０２ｂに流れ込む電流が止まり、抵抗１０２ａに流れる電流と光源１０１に流れる電流とが同じ値となる。
【００３９】
ここで、コンデンサ１０２ｂへの充電時間（突入電流が流れる時間）が図２のΔｔとほぼ同じ値となるように、電源電圧（Ｖ）の値、およびコンデンサ１０２ｂと抵抗１０２ａの値が設定されている。また、コンデンサ１０２ｂに突入電流が流れなくなった段階において抵抗１０２ａで電圧降下が生じ、この電圧降下により光源１０１に加わる電圧が低下するが、この電圧低下により光源１０１の発光が停止するように抵抗１０２ａの値およびその他のパラメータの値が選択されている。あるいは、コンデンサ１０２ｂに突入電流が流れなくなった段階で抵抗１０２ａに電流が流れ、抵抗１０２ａによって光源１０１に流れる電流が抑制（制限）されるが、この電流の抑制によって、光源１０１に流れるＬＤ電流が発光閾値を下回る値となるように、抵抗１０２ａの値およびその他のパラメータが設定されている、と捉えることもできる。
【００４０】
この構成およびパラメータの設定によれば、コンデンサ１０２ｂの充電時に光源１０１が発光し、その直後に抵抗１０２ａで生じる電圧降下（電流制限）によって、光源１０１に加わる電圧が低下（流れる電流値が低下）し、光源１０１の発光が停止する。この結果、図１および図２に示す緩和振動の発生が抑えられ、Δｔの期間における最初のパルス発光だけが行われる。
【００４１】
以下、図を用いて上記の動作をより詳細に説明する。図５には、各部に加わる電圧の変化が示されている。なお図５には、プラス電源を用いる場合が示されている。図５（Ａ）には、微分回路１０２の光源１０１の側の電圧Ｖcsが示されている。Ｖ−Ｖcsが光源１０１に加わる電圧となる。図５（Ｂ）には、微分回路１０２に加わる電圧、すなわち抵抗１０２ａとコンデンサ１０２ｂに加わる電圧Ｖdifが示されている。図５（Ｃ）には、スイッチ（ＦＥＴ）１０３に加わる電圧Ｖd（ソースとドレインの間に加わる電圧）が示されている。
【００４２】
スイッチ１０３がＯＮになると、コンデンサ１０２ｂへの充電が始まり、コンデンサ１０２ｂに突入電流が流れる。最初期においては、電気的にコンデンサ１０２ｂは短絡状態であり、流れる電流は、コンデンサ１０２ｂへの突入電流が主となる。このコンデンサ１０２ｂへの突入電流が生じることで、光源１０１に駆動電流が流れ、光源１０１が発光する。
【００４３】
そして、コンデンサ１０２ｂへの充電が進むにつれてコンデンサ１０２ｂが示す抵抗値が徐々に上昇し、抵抗１０２ａに流れる電流が増加する。この際、微分回路１０２に加わる電圧Ｖdifは徐々に増加する。これは、抵抗１０２ｂでの電圧降下が生じ始めるからである。
【００４４】
スイッチ１０３がＯＦＦの状態では、コンデンサ１０２ａの両電極は抵抗１０２ｂで短絡されているので同電位であり、Ｖdif＝０Ｖである。そして、コンデンサ１０２ｂに突入電流が生じている期間（図５（Ａ）の符号１１４の期間）は、電流の流入により、コンデンサ１０２ｂへの電荷の蓄積が進み、２つの電極間に電位差が生じ始めるので、Ｖｄの位置の電位は徐々に低下し、Ｖdは、図５（Ｃ）に示すように変化する。
【００４５】
コンデンサ１０２ｂへの突入電流に伴うコンデンサ１０２ｂへの電荷の蓄積が進むと、当該突入電流は徐々に低下、他方でそれに対応するように抵抗１０２ａに流れる電流が増加する。この結果、抵抗１０２ａで電圧降下が生じ、光源１０１に加わる電圧が減少する。すなわち、電源電圧Ｖに占める抵抗１０２ａで生じる電圧降下の影響が強まり、その分、光源１０１に加わる電圧が減少する。言い換えると、抵抗１０２ａで生じる電圧降下により、Ｖcsの値が上昇し（図５（Ａ）の期間１１５参照）、その分光源１０１に加わる電圧（Ｖ−Ｖcs）が減少する。
【００４６】
ここで、上記の光源１０１に加わる電圧（Ｖ−Ｖcs）が減少した際に、（Ｖ−Ｖcs）が発光閾値を下回るように抵抗１０２ａの抵抗値およびその他のパラメータが設定されている。したがって、図５（Ａ）の期間１１４において光源１０１は発光し、期間１１５において発光が停止する。ここで、期間１１４が図２のΔｔと同じ程度の期間となるように、微分回路１０２の抵抗１０２ａとコンデンサ１０２ｂの値を調整（設定）することで、発光開始時の１パルスのみの発光が行われる。
【００４７】
この状態（期間１１５）において、スイッチ１０３をＯＦＦにすると、光源１０１に電流が流れなくなり、またコンデンサ１０２ｂに溜まった電荷が抵抗１０２ａに流れ、そこで消費される。こうして、最初のスイッチ１０３がＯＦＦである状態に戻る。
【００４８】
そして、再度スイッチ１０３をＯＮにすることで、上述した動作と同じ動作が繰り返され、２発目のパルス発光が光源１０１で行われる。こうして、スイッチ１０３のＯＮ/ＯＦＦを繰り返すことで、光源１０１は繰り返しパルス発光を行う。
【００４９】
（ＣＲの値の設定について）
コンデンサＣ（１０２ｂ）の値と抵抗Ｒ（１０２ａ）の値を設定する指針を下記に示す。
（１）Ｃの最小値 ： ＬＤに発振しきい値電流以上の電流が流せる容量値。
（小さ過ぎると、ＬＤが発振しない）
（２）Ｃの最大値 ： 緩和振動の１番目のパルスのみを生成して２番目以降
のパルスを抑制するような電流を流せる容量値（Ｒとの
依存性あり）。
（大き過ぎると、緩和振動が発生する）
（３）Ｒの最小値 ： ＬＤ電流が発振しきい値電流と等しくなる抵抗値。
（小さ過ぎると、緩和振動が生じる）
（４）Ｒの最大値 ： Ｒで発生する電圧降下と電源電圧との差が、ＬＤ順方
向電圧と等しくなる抵抗値（Ｃとの依存性あり）。
（大き過ぎると、次パルスまでの間の放電が間に合わな
くなる）
【００５０】
また、パルス光のピーク値とＣおよびＲの値とは、概略以下の関係がある。
・光パルスの強度を大きく ⇒ Ｃを大きく，Ｒを小さく
・光パルスの強度を小さく ⇒ Ｃを小さく，Ｒを大きく
ただし、ＣとＲには相関があるため一意的には決まらない。また、緩和振動の抑制効果との関係も考慮して、ＣとＲの値を決める必要がある。
【００５１】
（温度と部品精度の影響について）
特定のパルス波形を得るＣＲの設定とＬＤの特性の組み合わせは許容範囲が狭い。したがって、試作品で最適な組み合わせを見出しても、量産品において部品の特性のバラツキがあると、光源１０１から発光されるパルス光の波形が変化する。同じ型番のＬＤで同じ発光条件であっても、ＬＤの製造ロットが異なると、特性の差異によってパルス波形は変化する。特に温度変化を受けると、各部品（特に光源（ＬＤ）１０１）の特性が変化し、それがパルス波形の形状に大きく影響する。
【００５２】
図６には、ＬＤおよび光源駆動回路の温度を変化させた場合における発光パルスの波形の違いが示されている。図６に示されるように、ＬＤの温度が違うと、発光パルスの波形が異なる形状となる。なお、低温（０℃）における発光パルスの波形では、緩和振動の２発目のパルスが現れている。図７（Ａ）には、ＬＤの温度が違っても発光のピーク値が同じになるように電源電圧ＶＥＥを変化させた場合の温度と電源電圧の関係が示されている。図７（Ｂ）には、その際の波形の違いが示されている。
【００５３】
（発光パルスの波形を制御する方法）
図６に示すように、同じ発光条件であっても温度が変わると発光パルスの波形も変化する。他方で、発光のために光源に加えられる電圧を変えると、光源１０１の発光パルスのピーク値も含めた波形の形状が変化する。他方で、図７（Ｂ）に示すように、温度が違う場合であっても、電源電圧を調整することで、出力波形の形状の類似性はやや犠牲となるが、ピークの値を揃えることができる。以上の現象を利用することで、温度が変化しても光源１０１への印加電圧を温度の変化に応じて適切に変化させると、
（１）ピーク値は異なるが、パルス波形の形状を相似にできる。
（２）パルス波形の形状の相似性は崩れるが、ピーク値を同じにできる。
（３）ピーク値とパルス波形の相似性を特定の範囲に収めることができる。
【００５４】
上記の（３）は、（１）と（２）を組み合わせて、ピーク値の均一性と波形の類似性の両方を追求したパターンである。また、ピーク値の均一性を優先しつつ、波形形状の類似性にも配慮するパターンや、波形形状の類似性を優先しつつ、ピーク値の均一性も配慮するパターンも可能である。また、パルス波形の対称性が崩れないように光源１０１への印加電圧の値を調整する制御も可能である。
【００５５】
上述した発光パルスの波形の制御に係る処理は、図３の演算部１０９において行われる。また、演算部１０９で行われる処理の手順を決めるプログラムは、演算部１０９内部の記憶部に記憶されており、適当な記憶領域に読み出されて実行される。当該プログラムを適当な記憶媒体に記憶させ、そこから提供する形態も可能である。なお、ここでは、光源１０１への印加電圧を変更する方法として、電源回路１０５の出力電圧を変更する構成を採用する。光源１０１への印加電圧を変更する他の方法として、回路中に可変抵抗素子を配置してそこで電圧降下を生じさせ、当該可変抵抗素子の抵抗値を調整することで、光源１０１への印加電圧を変更する構成も可能である。
【００５６】
発光パルスの波形の補正は、以下のようにして行われる。まず、光源１０１をパルス発光させる。そして、発光した光を受光素子１０７で検出し、受光素子１０７の出力から検出した発光パルス光の波形のデータを得る。演算部１０９は、この発光パルス光の波形が特定の条件を満たしているか否かを判定し、特定の条件を満たしていない場合、特定の条件を満たすように電源回路１０５の出力電圧（電源電圧）を変更し、再度の発光を行う。この発光→発光波形の検出→発光波形の判定→電源電圧の変更→発光のサイクルを特定の条件を満たす波形となるまで繰り返すことで、温度や部品特性のばらつきに起因する発光波形の形状のばらつきを是正した発光が可能となる。
【００５７】
電源電圧を調整する態様としては、以下のものが挙げられる。
（１）特定のピークパワーを維持するように電源電圧を調整する。
（２）発光パルスが単峰になるように電源電圧を調整する。
（３）発光パルス形状の左右の対称性が確保されるように電源電圧を調整する。
（４）計測した温度に応じて電源電圧を調整する。
図１５には、電源電圧を下げ、波形のピークの値を下げることで、緩和振動の発生を抑え、単峰性がより明確に現れる様にパルス波形を補正した場合の例が示されている。なお、（４）の温度に応じて電源電圧を調整した場合、部品特性のばらつきや経時変化等による誤差が生じるが、大凡のパルス波形の再現性は得られる。
【００５８】
実際の動作では、上記（１）〜（３）の一または複数を組み合わせ、更に予備的に（４）の制御を行う。具体的には、まず（４）の制御により、発光パルス波形の大まかな補正を行い、次いで（１）〜（３）の一または複数を組み合わせた方法により、発光パルス波形の精密な補正を行う。具体的な補正の手順の詳細については後述する。
【００５９】
（電源電圧の調整について）
以下、電源回路１０５の出力電圧を可変する構成について説明する。図８（Ａ）には、第１の構成が記載されている。図８（Ａ）の構成では、演算部１０９（図３参照）から電圧を指定するデジタルデータが出力され、それが電源回路１０５に入力される。電源回路１０５は、Ｄ／Ａコンバータ１０５ａと、制御電圧によって出力する電圧を可変制御できるスイッチング電源ＩＣ１０５ｂを備えている。
【００６０】
演算部１０９から出力された電圧を指定するデジタルデータは、Ｄ／Ａコンバータ１０５ａでアナログ電圧の信号に変換され、それがスイッチング電源ＩＣ１０５ｂに入力される。スイッチング電源ＩＣ１０５ｂは、Ｄ／Ａコンバータから出力されたアナログ電圧（制御電圧）に対応する値の出力電圧を出力する。こうして、演算部１０９で決定された電圧が電源回路１０５から出力される。
【００６１】
図８（Ｂ）の構成では、演算部１０９（図３参照）から指定する電圧に対応するＰＷＭ信号が出力される。この場合、ＰＷＭ信号は、指定する電圧（演算部１０９で決定された最終的に電源回路１０５から出力される電圧）に対応するパルス幅に設定されている。電源回路１０５は、ローパスフィルタ１０５ｃとスイッチング電源ＩＣ１０５ｂを備えている。
【００６２】
演算部１０９から出力されたＰＷＭ信号は、ローパスフィルタ１０５ｃでアナログ電圧に変換され、このアナログ電圧に応じた出力電圧がスイッチング電源ＩＣ１０５ｂから出力される。こうして、図８（Ｂ）の場合も演算部１０９で決定された電圧が電源回路１０５から出力される。
【００６３】
（スイッチ駆動回路について）
図９に示すように、スイッチ１０３を構成するＦＥＴを駆動するスイッチ駆動回路１０６には、光源１０１の発光を制御するスイッチ駆動電圧が入力され、またＦＥＴの動作条件を決めるバイアス電圧がバイアス回路から供給される。バイアス回路は、電源電圧ＶＥＥを抵抗Ｒ１とＲ２で分圧したバイアス電圧Ｖｂを作り出す。ＶｂがＦＥＴのゲートにバイアス電圧として印加される。この構成では、電源電圧ＶＥＥが変化すると、それに連動してバイアス電圧Ｖｂも変化する。
【００６４】
図１０には、図９の構成を採用した場合におけるスイッチ駆動電圧（ＦＥＴのゲート電極に加えられる駆動信号の波形）、Ｖｔｈ（ＦＥＴの閾値電圧）、Ｖｂ（ＦＥＴのゲート電極に加えられるバイアス電圧）、ＶＥＥ（電源電圧）の関係が示されている。図１０には、マイナス電源を用いる場合が示されている。  
【００６５】
ここで、スイッチ駆動電圧の波高値Ｖｐは、Ｖｂを基準として、Ｖｔｈ−Ｖｂよりも大きな値となるように設定されている。この設定では、Ｖｐがゲートに印加された期間にＦＥＴ１０３がＯＮになり、それ以外の期間においてＦＥＴ１０３はＯＦＦとなる。図１０の場合、ＦＥＴ１０３は、図示するスイッチ駆動電圧の波形のタイミングでＯＮ／ＯＦＦを繰り返す。
【００６６】
ところで、図９の構成では、電源電圧ＶＥＥが変化すると、それに連動してＶｂが変化する。また、Ｖｂが変化することで、当然Ｖｐも連動して変化する。また、ＶｔｈはＶＥＥに依存しているので、ＶＥＥが変化すると、Ｖｔｈもそれにつれて変化する。したがって、図９の構成では、ＶＥＥが変化すると、Ｖｂ，Ｖｐ，Ｖｔｈが連動して変化する。この際、Ｖｂ，Ｖｐ，Ｖｔｈの相対的な関係は変化しない。つまり、ＶＥＥが変化してもＶｂ，Ｖｐ，Ｖｔｈの相対的な関係は維持される。
【００６７】
したがって、ＶＥＥは変化しても動作条件に変化はなく、スイッチ駆動電圧によってＦＥＴ１０３をＯＮにしたいタイミングでＯＮにし、またＯＦＦにしたいタイミングでＯＦＦにできる。
【００６８】
ところで、図９に示すように、ＶＥＥを分圧してＶｂを作り出すのではなく、ＶｂをＶＥＥとは独立にＶＥＥに依存しない一定な値とした場合、以下の不具合が生じる。この場合、ＶｂおよびＶｐの値は、固定値であり、ＶＥＥの変動に追従しない。他方において、Ｖｔｈの値は、ＶＥＥに変化に追従して変化する。よって、図１１（Ａ）に示すようにＶｐ＜Ｖｔｈとなり、ＯＮとすべきタイミングでＦＥＴがＯＮとならない場合や、図１１（Ｂ）に示すようにＶｂ＞Ｖｔｈとなり、ＦＥＴが常にＯＮとなる不都合が生じる。
【００６９】
ＦＥＴ（スイッチ１０３）がＯＮにならなければ、光源１０１は発光しないし、ＦＥＴが常にＯＮでは、光源１０１が連続発光してしまう可能性がある。このように、ＶｂをＶＥＥに連動させない場合、発光制御に支障が出る。
【００７０】
（動作の一例）
以下、処理の手順の一例を説明する。以下に説明する処理は、演算部１０９において実行される。また、以下に説明する処理の手順を決めるプログラムは、適当な記憶領域や記憶媒体に記憶され、演算部１０９によって実行される。
【００７１】
ここでは、図３の電源１０５の出力電圧を決めるための処理（以下、補正処理）について説明する。この補正処理は、電源のＯＮ時、一定の時間が経過する毎、ユーザが処理を指示した際、電源ＯＮ時における特定の幅の温度変化が検出された際の一または複数のタイミングで行われる。
【００７２】
処理の開始に先立ち、予め光源１０１を構成するＬＤについて、同一製品を用いて予備実験を行い、特定のピーク値を得るのに必要な印加電圧の値と温度との関係（図７（Ａ）参照）を求めておく。このデータは、演算部１０９内の記憶領域等の適当な記憶手段に記憶しておく。
【００７３】
図１２に補正処理の手順の一例を示す。処理が開始されると、まず温度センサ１１０が計測した温度の情報が取得される（ステップＳ１０１）。次に、予め取得しておいた特定のピーク出力を得るために必要な温度と電源電圧の関係からステップＳ１０１で取得した温度に対応した電源電圧が選択され（ステップＳ１０２）、更に選択された電源電圧を電源回路１０５から出力することで光源１０１のパルス発光を行う（ステップＳ１０３）。ステップＳ１０３での発光は、発光パルスの波形を試験的に評価するために行われる。なお、この発光では、図５に関連して説明した原理により単パルスの発光が行なわれる。
【００７４】
発光が行なわれたら、図４に示す仕組みでその一部が受光素子１０７で受光される。この際の受光素子１０７の出力から演算部１０９は、発光パルスの波形に係る情報を取得する（ステップＳ１０４）。ここでは、精度を高めるために、複数回のパルス発光を連続して行い、各発光パルスのデータを取得する。
【００７５】
以下、発光パルスの波形に係る情報について説明する。まず、発光パルスの幅（時間軸上の幅）は、１００ｐｓ〜３００ｐｓ（ピコセコンド）程度（図６参照）である。他方で、一般的なＡ／Ｄコンバータのサンプリング周波数の上限は、数ＧＨｚ程度である。例えばＡ／Ｄコンバータのサンプリング周波数が１ＧＨｚであると、サンプリング間隔は、１／１×１０９ｓ＝１０００ｐｓとなる。よって、発光パルス波形の良好な検出精度を確保するために位相をずらして複数のＡ／Ｄコンバータを動作させることで、サンプリング間隔を短くする時間インターリーブ方式や、複数の発光パルスを対象に、サンプリングタイミングを順次ずらしたサンプリング方式またはこれらを組み合わせてパルス波形を検出する。
【００７６】
例えば、ノイズ等の影響を考えない理想的な場合であるが、単体ではサンプル間隔が５００ｐｓのＡ／Ｄコンバータを４つ用いて時間インターリーブ方式によりサンプリングを行うことでサンプリング間隔を１２５ｐｓとでき、更に１０パルスを対象にタイミングをずらしてサンプリングを行うことで、更に時間分解能を１／１０の１２．５ｐｓとできる。この場合、２５０ｐｓ幅においてサンプリング点を２０点確保でき、高い精度で発光パルスの波形を検出できる。
【００７７】
このようにして図６に示す発光パルスの波形の形状に係るデータを得るための処理がステップＳ１０４において行われる。発光パルスの波形の形状に係るデータを得たら、発光パルス波形が特定の条件を満たすか否かに関する判定を行う（ステップＳ１０５）。この判定には、以下の３つの態様がある。
【００７８】
（第１の判定の態様）
発光パルスの波形のピークの値が、予め定めた範囲に収まるか、あるいは予め定めた値以上の値であるか否かを判定する。この場合、発光パルスの波形のピークの値が、予め定めた範囲に収まっている場合、あるいは予め定めた値以上の値である場合にステップＳ１０５はＹＥＳの判定となり、そうでない場合にＮＯの判定となる。
【００７９】
（第２の判定の態様）
発光パルスの波形の形状が単峰であるか否かを判定する。単峰であるか否かは、ピークが１つであるか否かを見ることで判定される。この場合、単峰であると判定された場合にＹＥＳの判定となり、２以上のピークがある場合にＮＯの判定となる。なお、ピークは、波形を時間微分した値の符号が正から負に逆転する変曲点の有無により判定される。
【００８０】
（第３の判定の態様）
発光パルスの形状の時間軸上における対称性を評価し、対称性が予め定めた条件を満たすものである場合に、対称形状と判定し、そうでない場合に非対象形状と判定する。この場合、対象形状と判定された場合にＹＥＳの判定となる。
【００８１】
以下、対称性を判定する方法の一例を説明する。まず、パルス波形のピークの時間軸上の位置を求める。次に、時間軸上における左右（時間で考えると前後）の波形の分布の偏差を算出する。例えば、波形の左右の面積の差を波形の分布の偏差を評価する指標として用いる。そして、発光パルス波形の左右の分布の偏差が、予め定めた閾値以下である場合に、当該発光パルス波形を対称な形状と判定する。そして、発光パルス波形の左右の分布の偏差が、予め定めた閾値を超える場合、当該発光パルス波形を非対称な波形であると判定する。
【００８２】
上記第１の判定の態様〜第３の判定の態様は、一つのみを採用することもできるし、複数を組み合わせて利用することもできる。また、３つ全てに係る判定を行い、その少なくとも一つがＹＥＳである場合に、ステップＳ１０５の判定をＹＥＳとする処理も可能である。また、状況により、判定の条件に優劣（重み）を付け、優先する判定条件を変更する態様もあり得る。
【００８３】
以下、一例を説明する。例えば、パルス光での測距を行う技術において、標的が遠い（測距長が相対的に長い）場合、測距パルス光の強度が重要であるので、第１の判定の条件を厳しくする。勿論、発光強度が重要であっても、緩和振動が生じては測距精度に悪影響が生じ、また波形の形状も重要であるので、単峰性と波形の対称性については条件を緩和しての判定を行い、その上でパルス光の強度が閾値以上であるか否かを判定する。この場合、測定光の強度を優先した判定が行なわれる。
【００８４】
また例えば、パルスの立ち下りが著しく緩やかで、測距精度に影響を及ぼしかねないが、単峰であるため第２の判定の評価を用いることができない場合においても、第３の判定の評価を用いることでパルス波形の補正が可能になる。
【００８５】
ステップＳ１０５の判定において、ステップＳ１０４で取得した発光パルスの波形が特定の条件を満たす場合、発光パルスの波形に関し、更に補正する必要はないので、補正処理を終了する（ステップＳ１０６）。他方で、ステップＳ１０５の判定において、ステップＳ１０４で取得した発光パルスの波形が特定の条件を満たさない場合、ステップＳ１０７に進み当該条件を満たす形状に発光パルスの波形を補正するための処理を行う。
【００８６】
ステップＳ１０７では、ステップＳ１０４で取得した発光パルスの波形に基づいて図３の電源回路１０５の出力電圧の値を選択する。以下、ステップＳ１０７で行われる処理について説明する。この処理では、予め得ておいた発光波形と電源電圧の関係の基礎データに基づいて電源電圧を決める処理が行なわれる。この基礎データとしては、例えば（１）発光波形のピーク値を上げるには、電源電圧を上げるのか下げるのか、（２）発光波形の単峰性を上げるには、電源電圧を上げるのか下げるのか、（３）発光波形の対称性を高めるには、電源電圧を上げるのか下げるのか、といった事項に関するデータが挙げられる。この基礎データは、温度毎（例えば１℃ステップ毎）のものが用意され、予め演算部１０９内の適当な記憶領域に記憶されている。実際の処理では、ステップＳ１０４で得られた発光パルスの波形の形状と目標とする波形の形状との差を評価し、その差を小さくするために必要な電源電圧の情報を上記の基礎データから得る。
【００８７】
例えば、発光パルスの波形のピークの値が足りない場合、予め調べておいたピーク値と電源電圧の相関関係に基づき、変更すべき電源電圧の値を選択する。この場合、予め調べておいた発光パルスの波形のピークの値と電源電圧の関係から、ピークの値が足りない場合に電源電圧を上げればよいのか下げればよいのかの情報を取得し、新たな電源電圧を選択する。
【００８８】
また、緩和振動が生じ、２発目のパルスが現れている場合、予め調べておいた緩和振動と電源電圧の関係から、電源電圧をどう変更すべきかの情報を取得し、新たな電源電圧を選択する。
【００８９】
また、発光パルス波形の形状の対称性が悪い場合、予め調べておいた発光パルス波形の対称性と電源電圧の関係から、電源電圧をどう変更すべきかの情報を取得し、新たな電源電圧を選択する。
【００９０】
なお、ピークの値、対称性、緩和振動の３つの要素の中のどれかを優先して電源電圧の調整を行ってもよい。例えば、長距離探索モードの場合、発光ピークの値が優先されるので、発光パルスの波形のピークの値を規定範囲あるいは規定値とするように電源電圧の変更がまず行なわれる。そして、発光ピークが規定の条件を満たした段階で、この条件が崩れない範囲で他の要件についての電源電圧の調整を行う。
【００９１】
ステップＳ１０７の後、変更した電源電圧を用いてのステップＳ１０３以下の処理を行う。電源電圧の影響は、ピークの値、単峰性、波形の対称性のそれぞれに影響を与えるので、全ての条件が一回の修正で満足できるとは限らない。この場合、電源電圧の変化の幅を狭くしてステップＳ１０７の調整を再度行い、再度のステップＳ１０３以下の処理を行う。こうして、ステップＳ１０７→ステップＳ１０３→ステップＳ１０４以下の処理を１または複数回繰り返すことで、特定の条件を満足する発光パルスの波形が得られる電源電圧を探索する。
【００９２】
なお、ある回数処理を繰り返してもステップＳ１０５がＹＥＳとならない場合、次善の策として、ステップＳ１０５の判定条件を緩和し、発光パルス波形に係る要求水準を落としてステップＳ１０５以下の処理を行う。また、ステップＳ１０７以降の処理において、電源電圧を細かく振ることで波形の変化の傾向を検出し、望まれる波形の形状となる電源電圧を試行錯誤で探索してもよい。この場合、補正に必要な発光の回数が増加するが、状況に合わせた細かい補正が可能となる。  
【００９３】
（優位性）
上述した構成によれば、温度変化や部品精度の誤差による影響を電源電圧の変更により抑えることができる。また、部品の特性の経時変化の影響による発光パルス波形の変化を適宜補正することができる。このため、部品の設定や選別、および装置の調整に係るコストが抑えられる。また、特定の性能が恒常的に得られる優位性が得られる。特に、測距装置に用いた場合、恒温装置を用いずに温度の影響を抑えられるので、低コスト、低消費電力で高性能な測距装置を得ることができる。
【００９４】
２．第２の実施形態  
光源１０１、微分回路１０２、スイッチ１０３の直列接続の順序は、図３の構成に限定されず、図１３（Ａ）や（Ｂ）の構成も可能である。図１３（Ａ）には、プラス電位側から、光源１０１、スイッチ１０３、微分回路１０２と直列に配置された例が示されている。図１３（Ｂ）には、プラス電位側から、スイッチ１０３、光源１０１、微分回路１０２と直列に配置された例が示されている。この場合、光源１０１を挟んで間接的に直列接続された微分回路１０２とスイッチ１０３により光源駆動回路が構成される。また、光源１０１は、微分回路１０２とスイッチ１０３により構成される光源駆動回路に等価的に直列接続された状態となる。なお、図１３では、電源回路は図示省略されている。図１３には、電源電圧としてプラス電位を加える構成が記載されているが、例えば、図１３（Ａ）の構成で電源（＋Ｖ）の部分を接地し（アース電位とし）、ＧＮＤの部分にマイナス電位を加えるマイナス電源を用いる構成も可能である。これは、図１３（Ｂ）の場合も同じである。
【００９５】
３．第３の実施形態
図１４には、測距装置５００が示されている。測距装置５００は、レーザ光を用いて測定対象物までの距離の測定を行う装置である。測距装置５００は、発光装置１００、射出部５０１、受光部５０２、信号処理部５０３および表示部５０４を備えている。
【００９６】
発光装置１００は、図３および図４に示す構成を有する。勿論、本明細書中で例示する他の発光装置を利用することもできる。射出部５０１は、発光装置１００から出力されるレーザ光を測定対象物に対して射出するための光学系を備えている。受光部５０２は、光学系と受光素子（フォトダイオード等）を備え、射出部５０１から射出され、対象物で反射されてきた反射光を受光する。信号処理部５０３は、受光部５０２が受光した検出光に基づき、対象物までの距離を算出する。信号処理部５０３で行われる演算は、通常のレーザ測距装置におけるものと同じである。表示部５０４は、液晶ディスプレイ等の表示装置であり、信号処理部５０３で算出された対象物までの距離を表示する。
【００９７】
測距装置５００は、発光装置１００で生成されるパルス幅の短い測距光を用いるので、高い測距精度を得ることができる。また、発光装置１００は構造が簡素であり、消費電力が小さく、更に低コストで得られるので、測距装置５００は、小型化、低消費電力化、低コスト化を計ることができる。
【００９８】
ここでは、本発明の光源の適用例として、レーザ測距装置を例示したが、微分回路を用いてパルス発光を行う本発明の光源は、パルス光を用いた各種の装置（例えば、レーザ加工装置等）に適用することができる。
【符号の説明】
【００９９】
１００…発光装置、１０１…光源（レーザダイオード：ＬＤ）、１０２…微分回路、１０２ａ…抵抗、１０２ｂ…コンデンサ、１０３…スイッチ（ＦＥＴ）、１０４…光源駆動回路、１１１…半透過ミラー、１１２…ミラー、５００…測距装置。
【図１】
2016175301.tif 000003
【図２】
2016175301.tif 000004
【図３】
2016175301.tif 000005
【図４】
2016175301.tif 000006
【図５】
2016175301.tif 000007
【図６】
2016175301.tif 000008
【図７】
2016175301.tif 000009
【図８】
2016175301.tif 000010
【図９】
2016175301.tif 000011
【図１０】
2016175301.tif 000012
【図１１】
2016175301.tif 000013
【図１２】
2016175301.tif 000014
【図１３】
2016175301.tif 000015
【図１４】
2016175301.tif 000016
【図１５】
2016175301.tif 000017
【国際調査報告】
2016175301.tif 000018
2016175301.tif 000019
2016175301.tif 000020
2016175301.tif 000021